(57)【要約】【課題】より安定した通話を実現する。【解決手段】複数のアンテナが具備された携帯電話端末が有する機能を識別するための機能識別情報と当該機能が動作中に複数のアンテナにて受信された信号の受信信号強度をそれぞれ補正するためのアンテナ毎の補正値とが対応付けられて記憶部１１２に記憶され、記憶部１１２に記憶された補正値のうち動作中である機能を示す機能識別情報に対応付けられた補正値が計算部１１１にて受信信号強度から差し引かれ、補正値が差し引かれた受信信号強度が比較部１１０にて互いに比較され、その比較結果に基づいて複数のアンテナの中から１つのアンテナが選択される。【選択図】図２
2008079203.tif 000002
【特許請求の範囲】
【請求項１】
複数のアンテナを有する携帯電話端末であって、
該携帯電話端末が有する機能を識別するための機能識別情報と該機能が動作中に前記複数のアンテナにて受信された信号の受信信号強度をそれぞれ補正するための前記アンテナ毎の補正値とを対応付けて記憶する記憶手段を有し、
前記記憶手段に記憶された補正値のうち、動作中である機能を示す機能識別情報に対応付けられた補正値と、前記受信信号強度とに基づいて前記複数のアンテナの中から１つのアンテナを選択する携帯電話端末。
【請求項２】
請求項１に記載の携帯電話端末において、
前記動作中である機能の機能識別情報を示す動作機能信号を出力する制御手段と、
前記動作機能信号に応じた前記補正値を前記記憶手段から読み出し、該読み出された補正値を前記受信信号強度から差し引く計算手段と、
前記補正値を差し引かれた前記受信信号強度を互いに比較し、比較結果に基づいて前記複数のアンテナの中から１つのアンテナを選択するためのアンテナ切り替え信号を出力する比較手段と、
前記アンテナ切り替え信号に基づいて前記複数のアンテナの中から１つのアンテナを選択するアンテナ選択手段とを有することを特徴とする携帯電話端末。
【請求項３】
請求項１または請求項２に記載の携帯電話端末において、
前記受信信号強度が予め設定された閾値よりも高い場合、前記受信信号強度に基づいて前記複数のアンテナの中から１つのアンテナを選択することを特徴とする携帯電話端末。
【請求項４】
複数のアンテナを有する携帯電話端末におけるアンテナ切り替え方法であって、
前記携帯電話端末が有する機能を識別するための機能識別情報と該機能が動作中に前記複数のアンテナにて受信された信号の受信信号強度をそれぞれ補正するための前記アンテナ毎の補正値とを対応付けて記憶する記憶手段に記憶された補正値のうち、動作中である機能を示す機能識別情報に対応付けられた補正値と、前記受信信号強度とに基づいて前記複数のアンテナの中から１つのアンテナを選択する処理を有するアンテナ切り替え方法。
【請求項５】
請求項４に記載のアンテナ切り替え方法において、
前記動作中である機能の機能識別情報を示す動作機能信号を出力する処理と、
前記動作機能信号に応じた前記補正値を前記記憶手段から読み出す処理と、
該読み出された補正値を前記受信信号強度から差し引く処理と、
前記補正値を差し引かれた前記受信信号強度を互いに比較する処理と、
比較結果に基づいて前記複数のアンテナの中から１つのアンテナを選択するためのアンテナ切り替え信号を出力する処理と、
前記アンテナ切り替え信号に基づいて前記複数のアンテナの中から１つのアンテナを選択する処理とを有することを特徴とするアンテナ切り替え方法。
【請求項６】
請求項４または請求項５に記載のアンテナ切り替え方法において、
前記受信信号強度が予め設定された閾値よりも高い場合、前記受信信号強度に基づいて前記複数のアンテナの中から１つのアンテナを選択する処理を有することを特徴とするアンテナ切り替え方法。
【発明の詳細な説明】
【技術分野】
【０００１】
本発明は、携帯電話端末及び携帯電話端末におけるアンテナ切り替え方法に関し、特に、多種多様な付加機能及びダイバーシティ制御機能を有する携帯電話端末及び携帯電話端末におけるアンテナ切り替え方法に関する。
【背景技術】
【０００２】
近年、携帯電話端末を所持する利用者の数が着々と増えてきている。携帯電話端末が無い状態では生活が成り立たないといった利用者も少なくは無く、携帯電話端末が生活の必需品の１つになってきていると言っても過言ではない。
【０００３】
その携帯電話端末も、市場に登場した当初は音声通話機能のみを有する単なる携帯電話であったが、その後、高機能化が進み、メール等のパケット通信機能や、カメラによる撮影機能、音楽再生機能、また、当該携帯電話端末が存在する位置を認識するＧＰＳ（Global Positioning System）機能等の様々な機能が付加されてきている。
【０００４】
また、各部品の高密度実装による携帯電話端末の小型軽量化も進められており、さらに当然ながら、通話・通信機能については高い品質が求められている。
【０００５】
通話・通信機能についての品質については、上述した様々な付加機能が動作している場合、それらが動作していない場合と同様の通話品質が求められている。しかし、付加機能の高性能化が進むに連れて、これらを動作させるための動作クロックの高速化が進み、これにより、受信帯域に動作クロックの次数の低い高調波が発生してしまう。その高調波のレベルが高いために、高いレベルのノイズが、受信信号強度を示すＲＳＳＩ（Received Signal Strength Indicator）値を持ち上げてしまう。
【０００６】
一方、ダイバーシティ制御機能を有する携帯電話端末においては、複数のダイバーシティアンテナにてそれぞれ受信された信号のＲＳＳＩ値がベースバンド処理部において比較され、ＲＳＳＩ値の高いアンテナが受信アンテナとして選択される。
【０００７】
図５は、従来の携帯電話端末の構成の一例を示す図である。
【０００８】
図５に示した従来の携帯電話端末には、複数のアンテナ５０１，５０２と、アンテナスイッチ５０３と、受信部５０４と、ベースバンド処理部５０５とが設けられている。
【０００９】
アンテナ５０１，５０２は、無線信号を受信する。アンテナスイッチ５０３は、ベースバンド処理部５０５から出力されたアンテナ切り替え信号に従ってアンテナ５０１とアンテナ５０２とのどちらかの受信信号を選択する。受信部５０４は、アンテナ５０１，５０２にてそれぞれ受信された信号のＲＳＳＩ値を測定する。ベースバンド処理部５０５は、受信部５０４にて測定されたＲＳＳＩ値に基づいて処理を行う。さらに、ベースバンド処理部５０５には、比較部５１０が設けられている。比較部５１０は、受信部５０４にて測定されたアンテナ５０１にて受信された受信信号のＲＳＳＩ値とアンテナ５０２にて受信された受信信号のＲＳＳＩ値とを比較し、比較結果に基づいて、アンテナ切り替え信号をアンテナスイッチ５０３へ出力する。
【００１０】
図６は、従来のアンテナ切り替え方法を説明するためのフローチャートである。
【００１１】
まず、アンテナ５０１及びアンテナ５０２にてそれぞれ受信された受信信号のＲＳＳＩ値が、受信部５０４にて測定される（ステップＳ６０１）。ここで、受信部５０４にて測定されたアンテナ５０１にて受信された受信信号のＲＳＳＩ値をＲＳＳＩ１０とし、また受信部５０４にて測定されたアンテナ５０２にて受信された受信信号のＲＳＳＩ値をＲＳＳＩ２０とする。
【００１２】
受信部５０４にて測定されたＲＳＳＩ１０及びＲＳＳＩ２０は、ベースバンド処理部５０５の比較部５１０に入力される（ステップＳ６０２）。
【００１３】
そして、入力されたＲＳＳＩ１０とＲＳＳＩ２０とが比較部５１０にて比較され（ステップＳ６０３）、ＲＳＳＩ１０がＲＳＳＩ２０よりも高い値である場合、アンテナ５０１を選択するためのアンテナ切り替え信号が比較部５１０から出力される（ステップＳ６０４）。
【００１４】
比較部５１０から出力されたアンテナ５０１を選択するためのアンテナ切り替え信号がアンテナスイッチ５０３に入力されると、アンテナスイッチ５０３にてアンテナ５０１を選択するような切り替えが行われる（ステップＳ６０５）。
【００１５】
一方、ＲＳＳＩ１０がＲＳＳＩ２０よりも高くはない値である場合、アンテナ５０２を選択するためのアンテナ切り替え信号が比較部５１０から出力される（ステップＳ６０６）。
【００１６】
比較部５１０から出力されたアンテナ５０２を選択するためのアンテナ切り替え信号がアンテナスイッチ５０３に入力されると、アンテナスイッチ５０３にてアンテナ５０２を選択するような切り替えが行われる（ステップＳ６０７）。
【００１７】
しかし、上述したようにノイズによってＲＳＳＩ値が持ち上げられてしまうと、実際の受信信号強度のレベルが低いにもかかわらずＲＳＳＩ値が高くなってしまい、そのために高くなったＲＳＳＩ値のアンテナが選択されてしまう虞がある。このようなアンテナの誤った選択が行われると、選択されたアンテナが受信する実際の電界レベルは低いため、通話品質が落ちる、つまり本来のダイバーシティ機能が有する効果を得ることができないという問題が生じてしまう。
【００１８】
そこで、２つのダイバーシティアンテナによって受信された受信信号のＲＳＳＩ値を互いに比較し、それらの利得差に基づいてＲＳＳＩ値を補正し、補正後のＲＳＳＩ値を比較することにより正確な受信状態の判定を行う技術が考えられている（例えば、特許文献１，２参照。）。
【特許文献１】特開２００５−２６８８４９号公報
【特許文献２】特開平６−２０４９２６号公報
【発明の開示】
【発明が解決しようとする課題】
【００１９】
しかしながら、特許文献１，２に記載された技術においては、ＲＳＳＩ値を補正するために複数のアンテナ間における利得差のみが考慮されており、当該携帯電話端末が有する様々な機能が動作することにより生じるノイズの影響が考慮されていないため、それらの動作によるノイズの大きさが含まれたＲＳＳＩ値に基づいて受信アンテナを選択してしまう虞があるという問題点がある。
【００２０】
本発明は、上述したような従来の技術が有する問題点に鑑みてなされたものであって、より安定した通話を実現することができる携帯電話端末及び携帯電話端末におけるアンテナ切り替え方法を提供することを目的とする。
【課題を解決するための手段】
【００２１】
上記目的を達成するために本発明は、
複数のアンテナを有する携帯電話端末であって、
該携帯電話端末が有する機能を識別するための機能識別情報と該機能が動作中に前記複数のアンテナにて受信された信号の受信信号強度をそれぞれ補正するための前記アンテナ毎の補正値とを対応付けて記憶する記憶手段を有し、
前記記憶手段に記憶された補正値のうち、動作中である機能を示す機能識別情報に対応付けられた補正値と、前記受信信号強度とに基づいて前記複数のアンテナの中から１つのアンテナを選択する。
【００２２】
また、前記動作中である機能の機能識別情報を示す動作機能信号を出力する制御手段と、
前記動作機能信号に応じた前記補正値を前記記憶手段から読み出し、該読み出された補正値を前記受信信号強度から差し引く計算手段と、
前記補正値を差し引かれた前記受信信号強度を互いに比較し、比較結果に基づいて前記複数のアンテナの中から１つのアンテナを選択するためのアンテナ切り替え信号を出力する比較手段と、
前記アンテナ切り替え信号に基づいて前記複数のアンテナの中から１つのアンテナを選択するアンテナ選択手段とを有することを特徴とする。
【００２３】
また、前記受信信号強度が予め設定された閾値よりも高い場合、前記受信信号強度に基づいて前記複数のアンテナの中から１つのアンテナを選択することを特徴とする。
【００２４】
また、複数のアンテナを有する携帯電話端末におけるアンテナ切り替え方法であって、
前記携帯電話端末が有する機能を識別するための機能識別情報と該機能が動作中に前記複数のアンテナにて受信された信号の受信信号強度をそれぞれ補正するための前記アンテナ毎の補正値とを対応付けて記憶する記憶手段に記憶された補正値のうち、動作中である機能を示す機能識別情報に対応付けられた補正値と、前記受信信号強度とに基づいて前記複数のアンテナの中から１つのアンテナを選択する処理を有する。
【００２５】
また、前記動作中である機能の機能識別情報を示す動作機能信号を出力する処理と、
前記動作機能信号に応じた前記補正値を前記記憶手段から読み出す処理と、
該読み出された補正値を前記受信信号強度から差し引く処理と、
前記補正値を差し引かれた前記受信信号強度を互いに比較する処理と、
比較結果に基づいて前記複数のアンテナの中から１つのアンテナを選択するためのアンテナ切り替え信号を出力する処理と、
前記アンテナ切り替え信号に基づいて前記複数のアンテナの中から１つのアンテナを選択する処理とを有することを特徴とする。
【００２６】
また、前記受信信号強度が予め設定された閾値よりも高い場合、前記受信信号強度に基づいて前記複数のアンテナの中から１つのアンテナを選択する処理を有することを特徴とする。
【００２７】
上記のように構成された本発明においては、複数のアンテナが具備された携帯電話端末が有する機能を識別するための機能識別情報と当該機能が動作中に複数のアンテナにて受信された信号の受信信号強度をそれぞれ補正するためのアンテナ毎の補正値とが対応付けられて記憶手段に記憶され、記憶された補正値のうち、動作中である機能を示す機能識別情報に対応付けられた補正値と、受信信号強度とに基づいて複数のアンテナの中から１つのアンテナが選択される。
【００２８】
これにより、精度の良いアンテナダイバーシティ制御を実現することができる。
【発明の効果】
【００２９】
以上説明したように本発明においては、複数のアンテナが具備された携帯電話端末が有する機能を識別するための機能識別情報と当該機能が動作中に複数のアンテナにて受信された信号の受信信号強度をそれぞれ補正するためのアンテナ毎の補正値とが対応付けられて記憶手段に記憶され、記憶された補正値のうち、動作中である機能を示す機能識別情報に対応付けられた補正値と、受信信号強度とに基づいて複数のアンテナの中から１つのアンテナを選択する構成としたため、より安定した通話を実現することができる。
【発明を実施するための最良の形態】
【００３０】
以下に、本発明の実施の形態について図面を参照して説明する。
【００３１】
図１は、本発明の携帯電話端末の実施の一形態を示す図である。
【００３２】
本形態には図１に示すように、アンテナ１０１，１０２と、アンテナスイッチ１０３と、受信部１０４と、ベースバンド処理部１０５と、制御部１０６とが設けられている。
【００３３】
アンテナ１０１，１０２は、無線信号を受信する。アンテナスイッチ１０３は、ベースバンド処理部１０５から出力されたアンテナ切り替え信号に従ってアンテナ１０１とアンテナ１０２とのどちらかの受信信号を選択するアンテナ選択手段である。受信部１０４は、アンテナ１０１，１０２にてそれぞれ受信された信号の受信信号強度であるＲＳＳＩ値を測定する。制御部１０６は、当該携帯電話端末が有する機能（例えば、カメラ機能、ＴＶ機能、ラジオ機能、ＧＰＳ機能、ＲＦＩＤ機能等）を管理しており、各機能に対する動作機能信号をベースバンド処理部１０５へ出力する。ベースバンド処理部１０５は、受信部１０４にて測定されたＲＳＳＩ値と、制御部１０６から出力された動作機能信号とに基づいて処理を行う。ここで、動作機能信号とは、当該携帯電話端末が有する機能を識別するために、各機能それぞれに予め付与された固有の機能識別情報の中で、現在動作中である機能識別情報を示す信号である。またここでは、アンテナ１０１にて受信された信号のＲＳＳＩ値をＲＳＳＩ１とし、またアンテナ１０２にて受信された信号のＲＳＳＩ値をＲＳＳＩ２とする。
【００３４】
図２は、図１に示したベースバンド処理部１０５の一構成例を示す図である。
【００３５】
図１に示したベースバンド処理部１０５には図２に示すように、比較部１１０と、計算部１１１と、記憶部１１２とが設けられている。
【００３６】
記憶部１１２は、当該携帯電話端末が有する各機能に対するＲＳＳＩ値を補正するための補正値を予め記憶する。各機能が動作していることにより、ノイズ源の実装位置や装置の構造によってノイズの量やノイズによって影響を受ける位置が大きく異なるため、それぞれの機能に応じて、どのアンテナにて受信された信号のＲＳＳＩ値に対して、どのくらい補正するのかが予め記憶されている。例えば、カメラ機能が搭載されている携帯電話端末を例に挙げて説明すると、カメラの動作中にはカメラ制御用のクロックやデータラインの高調波が落ち込んでくるなどの要因により、アンテナ１０１，１０２における受信帯域のノイズが増えて受信感度の劣化が生じるため、これに応じた補正が必要となる。その補正の値である補正値が、各機能に対応付けられて記憶されている。
【００３７】
図３は、図２に示した記憶部１１２に記憶された各機能と補正値との対応付けの一例を示す図である。
【００３８】
図３に示すように記憶部１１２には、各機能の識別情報と各機能が動作している際のＲＳＳＩ値を補正するための補正値とがそれぞれ対応付けられて記憶されている。例えば、機能の識別情報「ｏｆｆ」とＲＳＳＩ１の補正値「０」とＲＳＳＩ２の補正値「０」とが対応付けられている。つまり、何の機能も動作していない場合は、ＲＳＳＩ１及びＲＳＳＩ２はノイズの影響を受けないため、補正は行われないことが示されている。また、機能の識別情報「１」とＲＳＳＩ１の補正値「１０」とＲＳＳＩ２の補正値「０」とが対応付けられている。つまり、識別情報が「１」である機能が動作している場合は、アンテナ１０１にて受信された信号はノイズの影響を受けるため、ＲＳＳＩ１から「１０」が差し引かれ、またアンテナ１０２にて受信された信号はノイズの影響を受けないため、ＲＳＳＩ２についての補正は行われないことが示されている。また、機能の識別情報「２」とＲＳＳＩ１の補正値「０」とＲＳＳＩ２の補正値「２０」とが対応付けられている。つまり、識別情報が「２」である機能が動作している場合は、アンテナ１０１にて受信された信号はノイズの影響を受けないため、ＲＳＳＩ１についての補正は行われず、またアンテナ１０２にて受信された信号はノイズの影響を受けるため、ＲＳＳＩ２から「２０」が差し引されることが示されている。また、機能の識別情報「３」とＲＳＳＩ１の補正値「０」とＲＳＳＩ２の補正値「１０」とが対応付けられている。つまり、識別情報が「３」である機能が動作している場合は、アンテナ１０１にて受信された信号はノイズの影響を受けないため、ＲＳＳＩ１についての補正は行われず、またアンテナ１０２にて受信された信号はノイズの影響を受けるため、ＲＳＳＩ２から「１０」が差し引かれることが示されている。上述した識別情報は、例えば「カメラ機能＝１」といった形で、各機能に予め付与されたものである。
【００３９】
計算部１１１は、制御部１０５から出力された動作機能信号内の機能識別情報に応じた補正値を記憶部１１２から読み出し、読み出された補正値に基づいてＲＳＳＩ値の補正計算を行う。比較部１１０は、計算部１１１にて補正計算されたＲＳＳＩ値を比較し、比較結果に基づいて、アンテナ切り替え信号をアンテナスイッチ１０３へ出力する。
【００４０】
なお、図１に示した形態及び図２に示した構成においては、本発明に関する構成要素のみを図中に示した。
【００４１】
以下に、上記のように構成された携帯電話端末におけるアンテナ切り替え方法について説明する。
【００４２】
図４は、図１及び図２に示した携帯電話端末におけるアンテナ切り替え方法を説明するためのフローチャートである。
【００４３】
まず、アンテナ１０１及びアンテナ１０２にてそれぞれ受信された受信信号のＲＳＳＩ値が、受信部１０４にて測定される（ステップＳ１）。
【００４４】
受信部１０４にて測定されたＲＳＳＩ１及びＲＳＳＩ２は、計算部１１１に入力される（ステップＳ２）。
【００４５】
その後、計算部１１１にて、入力されたＲＳＳＩ１及びＲＳＳＩ２が予め設定された弱電界閾値よりも低いかどうかが判断される（ステップＳ３）。この弱電界閾値は、ＲＳＳＩ値を補正するかどうかを判断するために任意に設定可能な閾値である。受信された信号のＲＳＳＩ値が弱電界閾値よりも低くはないと判断された場合、電波環境が十分に高く、ＲＳＳＩ値がノイズによって影響されることはないレベルであると判断され、ＲＳＳＩ値は補正されない。一方、受信された信号のＲＳＳＩ値が弱電界閾値よりも低いと判断された場合、電波環境が悪く、ＲＳＳＩ値がノイズによって影響されるレベルであると判断され、ＲＳＳＩ値は補正される。なお、弱電界閾値は、アンテナ１０１，１０２の特性に基づいて、アンテナ１０１，１０２毎に設定される。
【００４６】
ステップＳ３にてＲＳＳＩ１とＲＳＳＩ２との少なくともいずれか一方が弱電界閾値よりも低いと判断された場合、制御部１０６から出力された動作機能信号に対応付けられた補正値が、計算部１１１によって記憶部１１２から読み出される（ステップＳ４）。例えば、制御部１０６から出力された動作機能信号が「１」である場合、図３に示す対応付けからわかるように、ＲＳＳＩ１に対する補正値「１０」及びＲＳＳＩ２に対する補正値「０」が読み出される。
【００４７】
記憶部１１２から読み出された補正値とＲＳＳＩ１とから補正後のＲＳＳＩ値（以下、Ａとする）が計算部１１１にて計算される（ステップＳ５）。計算方法は、Ａ＝ＲＳＳＩ１−補正値となる。
【００４８】
同様に、記憶部１１２から読み出された補正値とＲＳＳＩ２とから補正後のＲＳＳＩ値（以下、Ｂとする）が計算部１１１にて計算される。計算方法は、Ｂ＝ＲＳＳＩ２−補正値となる。
【００４９】
そして、計算されたＡとＢとが計算部１１１から比較部１１０へ出力される（ステップＳ６）。
【００５０】
一方、ステップＳ３にてＲＳＳＩ１及びＲＳＳＩ２が弱電界閾値よりも低くはないと判断された場合は、ＲＳＳＩ１とＲＳＳＩ２とが計算部１１１から比較部１１０へ出力される（ステップＳ７）。
【００５１】
その後、計算部１１１から出力されたＲＳＳＩ１とＲＳＳＩ２と、あるいはＡとＢとの組み合わせが比較部１１０に入力される（ステップＳ８）。
【００５２】
その後、これらの組み合わせが比較部１１０にて比較される（ステップＳ９）。
【００５３】
比較部１１０にて比較された組み合わせがＲＳＳＩ１とＲＳＳＩ２とである場合、ＲＳＳＩ１がＲＳＳＩ２よりも高いときはアンテナ１０１を選択する旨を示すアンテナ切り替え信号が比較部１１０からアンテナスイッチ１０３へ出力される（ステップＳ１０）。
【００５４】
比較部１１０にて比較された組み合わせがＡとＢとである場合、ＡがＢよりも高いときも同様に、アンテナ１０１を選択する旨を示すアンテナ切り替え信号が比較部１１０からアンテナスイッチ１０３へ出力される。
【００５５】
その後、アンテナスイッチ１０３にてアンテナ１０１を選択するようにスイッチの切り替えが行われる（ステップＳ１１）。
【００５６】
一方、比較部１１０にて比較された組み合わせがＲＳＳＩ１とＲＳＳＩ２とである場合、ＲＳＳＩ１がＲＳＳＩ２よりも高くはないときはアンテナ１０２を選択する旨を示すアンテナ切り替え信号が比較部１１０からアンテナスイッチ１０３へ出力される（ステップＳ１２）。
【００５７】
比較部１１０にて比較された組み合わせがＡとＢとである場合、ＡがＢよりも高くはないときも同様に、アンテナ１０２を選択する旨を示すアンテナ切り替え信号が比較部１１０からアンテナスイッチ１０３へ出力される。
【００５８】
その後、アンテナスイッチ１０３にてアンテナ１０２を選択するようにスイッチの切り替えが行われる（ステップＳ１３）。
【００５９】
なお、携帯電話端末が有するアンテナの本数は２本に限らず、３本以上の複数のアンテナを有する場合であっても同様である。この場合、複数のアンテナそれぞれに対応付けられた補正値が予め設定され、補正値によって補正されたＲＳＳＩ値が最も高いアンテナを選択するように処理される。
【００６０】
以上説明したように、携帯電話端末に設けられた各機能が動作することにより発生するノイズによって受信信号が影響されるかどうかを閾値を用いて判断し、ノイズの影響が考えられると判断された場合、各機能、及び各アンテナそれぞれに予め設定された補正値を用いて、ＲＳＳＩ値を補正することにより、より精度の良いアンテナダイバーシティ制御を実現することができる。
【図面の簡単な説明】
【００６１】
【図１】本発明の携帯電話端末の実施の一形態を示す図である。
【図２】図１に示したベースバンド処理部の一構成例を示す図である。
【図３】図２に示した記憶部に記憶された各機能と補正値との対応付けの一例を示す図である。
【図４】図１及び図２に示した携帯電話端末におけるアンテナ切り替え方法を説明するためのフローチャートである。
【図５】従来の携帯電話端末の構成の一例を示す図である。
【図６】従来のアンテナ切り替え方法を説明するためのフローチャートである。
【符号の説明】
【００６２】
１０１，１０２    アンテナ
１０３    アンテナスイッチ
１０４    受信部
１０５    ベースバンド処理部
１０６    制御部
１１０    比較部
１１１    計算部
１１２    記憶部
【図１】
2008079203.tif 000003
【図２】
2008079203.tif 000004
【図３】
2008079203.tif 000005
【図４】
2008079203.tif 000006
【図５】
2008079203.tif 000007
【図６】
2008079203.tif 000008